(57)【要約】【課題】  高電圧及び高振動環境下での負荷を与える簡便な評価試験装置により、地上コイルケーブル接続部の絶縁性能の劣化を試験する、超電導磁気浮上式鉄道用地上コイルのケーブル接続部振動試験装置を提供する。【解決手段】  超電導磁気浮上式鉄道用地上コイルのケーブル接続部振動試験装置において、超電導磁気浮上式鉄道用地上コイルのケーブル接続部４から導出されるケーブル５に接続される加振装置６と、前記ケーブル５に接続される高電圧印加装置７とを備え、前記ケーブル５に前記高電圧印加装置７により高電圧を印加するとともに、前記ケーブル５に前記加振装置６により振動を加えることにより、超電導磁気浮上式鉄道車両が前記地上コイルを通過する時に前記ケーブル接続部４に加えられる動的な力を模擬するようにした。【選択図】  図５
2012078314.tif 000002
【特許請求の範囲】
【請求項１】
（ａ）超電導磁気浮上式鉄道用地上コイルのケーブル接続部から導出されるケーブルに接続される加振装置と、
（ｂ）前記ケーブルに接続される高電圧印加装置とを備え、
（ｃ）前記ケーブルに前記高電圧印加装置により高電圧を印加するとともに、前記ケーブルに前記加振装置により振動を加えることにより、超電導磁気浮上式鉄道車両が前記地上コイルを通過する時に前記ケーブル接続部に加えられる動的な力を模擬するようにしたことを特徴とする超電導磁気浮上式鉄道用地上コイルのケーブル接続部振動試験装置。
【請求項２】
請求項１記載の超電導磁気浮上式鉄道用地上コイルのケーブル接続部振動試験装置において、前記加振装置は、モータと偏心円盤からなり、前記モータの回転運動を前記偏心円盤により前記ケーブル接続部の上下動に変換することを特徴とする超電導磁気浮上式鉄道用地上コイルのケーブル接続部振動試験装置。
【請求項３】
請求項１記載の超電導磁気浮上式鉄道用地上コイルのケーブル接続部振動試験装置において、前記高電圧印加装置は、前記超電導磁気浮上式鉄道車両の走行時に実際に前記地上コイルの前記ケーブル接続部に印加される電圧と同等の高電圧を印加することを特徴とする超電導磁気浮上式鉄道用地上コイルのケーブル接続部振動試験装置。
【請求項４】
請求項３記載の超電導磁気浮上式鉄道用地上コイルのケーブル接続部振動試験装置において、前記高電圧が、数１０ｋＶ単位であることを特徴とする超電導磁気浮上式鉄道用地上コイルのケーブル接続部振動試験装置。
【発明の詳細な説明】
【技術分野】
【０００１】
本発明は、超電導磁気浮上式鉄道用地上コイルのケーブル接続部振動試験装置に関するものである。
【背景技術】
【０００２】
超電導磁気浮上式鉄道用地上コイルのケーブル接続部は、高電圧及び高振動環境下での使用（下記特許文献１，２参照）が前提とされるため、信頼性の確保が必須である。
図９は従来の超電導磁気浮上式鉄道の地上コイル装置の模式図である。
この図において、ガイドウェイ１００の両側に設けられるガイドウェイ側壁１０１に地上コイル１０２が配置されるようになっている。
【０００３】
かかる超電導磁気浮上式鉄道用地上コイルのケーブル接続部が含まれる地上コイルおよびケーブルは、超電導磁気浮上式鉄道用車両の通行直前に高電圧が印加され、車両の通行時に車両に搭載された超電導磁石により大きな電磁力を受ける。この現象の繰り返しにより、地上コイルのケーブル接続部の絶縁性能の劣化が懸念される。
【先行技術文献】
【特許文献】
【０００４】
【特許文献１】特開２００６−２６２５４２号公報
【特許文献２】特開２００８−２９５２４０号公報
【発明の概要】
【発明が解決しようとする課題】
【０００５】
上記した超電導磁気浮上式鉄道用地上コイルのケーブル接続部の絶縁性能を評価するために、高電圧及び高振動環境下での負荷を与える評価試験装置が有効であると考えられる。ただし、高電圧印加装置及び超電導磁石を用いて、超電導磁気浮上式鉄道車両の通行を模擬してケーブル接続部に動的な力を与えるには大規模な設備が必要となり、困難である。
【０００６】
本発明は、上記状況に鑑みて、高電圧及び高振動環境下での負荷を与える簡便な評価試験装置により、地上コイルのケーブル接続部の絶縁性能の劣化を試験する、超電導磁気浮上式鉄道用地上コイルのケーブル接続部振動試験装置を提供することを目的とする。
【課題を解決するための手段】
【０００７】
本発明は、上記目的を達成するために、
〔１〕超電導磁気浮上式鉄道用地上コイルのケーブル接続部振動試験装置において、超電導磁気浮上式鉄道用地上コイルのケーブル接続部から導出されるケーブルに接続される加振装置と、前記ケーブルに接続される高電圧印加装置とを備え、前記ケーブルに前記高電圧印加装置により高電圧を印加するとともに、前記ケーブルに前記加振装置により振動を加えることにより、超電導磁気浮上式鉄道車両が地上コイルを通過する時に前記ケーブル接続部に加えられる動的な力を模擬するようにしたことを特徴とする。
【０００８】
〔２〕上記〔１〕記載の超電導磁気浮上式鉄道用地上コイルのケーブル接続部振動試験装置において、前記加振装置は、モータと偏心円盤からなり、前記モータの回転運動を前記偏心円盤により前記ケーブル接続部の上下動に変換することを特徴とする。
〔３〕上記〔１〕記載の超電導磁気浮上式鉄道用地上コイルのケーブル接続部振動試験装置において、前記高電圧印加装置は、前記超電導磁気浮上式鉄道車両の走行時に実際に前記地上コイルの前記ケーブル接続部に印加される高電圧と同等の電圧を印加することを特徴とする。
【０００９】
〔４〕上記〔３〕記載の超電導磁気浮上式鉄道用地上コイルのケーブル接続部振動試験装置において、前記高電圧が、数１０ｋＶ単位であることを特徴とする。
【発明の効果】
【００１０】
本発明によれば、超電導磁石を用いた大規模な設備を用いることなく、超電導磁気浮上式鉄道用地上コイルのケーブル接続部振動試験が可能となる。
【図面の簡単な説明】
【００１１】
【図１】本発明に係る超電導磁気浮上式鉄道用地上コイルのケーブル接続部を示す図面代用写真である。
【図２】本発明に係る超電導磁気浮上式鉄道用地上コイルの構成図である。
【図３】本発明に係る超電導磁気浮上式鉄道用地上コイルの雌側ケーブル接続部を示す図面代用写真である。
【図４】本発明に係る超電導磁気浮上式鉄道用地上コイルの雄側ケーブル接続部を示す図面代用写真である。
【図５】本発明の実施例を示す超電導磁気浮上式鉄道用地上コイルのケーブル接続部振動試験装置のブロック図である。
【図６】本発明の実施例を示す超電導磁気浮上式鉄道用地上コイルのケーブル接続部振動試験装置の全体構成を示す図面代用写真である。
【図７】本発明の実施例を示す超電導磁気浮上式鉄道用地上コイルのケーブル接続部振動試験装置のケーブル加振装置を示す図面代用写真である。
【図８】本発明の実施例を示す超電導磁気浮上式鉄道用地上コイルのケーブル接続部振動試験装置のケーブル加振装置による加振例を示す図である。
【図９】従来の超電導磁気浮上式鉄道の地上コイルの装置の模式図である。
【発明を実施するための形態】
【００１２】
本発明の超電導磁気浮上式鉄道用地上コイルのケーブル接続部振動試験装置は、超電導磁気浮上式鉄道用地上コイルのケーブル接続部から導出されるケーブルに接続される加振装置と、前記ケーブルに接続される高電圧印加装置とを備え、前記ケーブルに前記高電圧印加装置により高電圧を印加するとともに、前記ケーブルに前記加振装置により振動を加えることにより、超電導磁気浮上式鉄道車両が前記地上コイルを通過する時に前記ケーブル接続部に加えられる動的な力を模擬するようにした。
【実施例】
【００１３】
以下、本発明の実施の形態について詳細に説明する。
図１は本発明に係る超電導磁気浮上式鉄道用地上コイルのケーブル接続部を示す図面代用写真、図２は本発明に係る超電導磁気浮上式鉄道用地上コイルの構成図であり、図２（ａ）はその平面図、図２（ｂ）はその側面図である。図３は本発明に係る超電導磁気浮上式鉄道用地上コイルの雌側ケーブル接続部を示す図面代用写真、図４はその雄側ケーブル接続部を示す図面代用写真、図５は本発明の実施例を示す超電導磁気浮上式鉄道用地上コイルのケーブル接続部振動試験装置のブロック図、図６はそのケーブル接続部振動試験装置の全体構成を示す図面代用写真、図７はそのケーブル接続部振動試験装置のケーブル加振装置を示す図面代用写真、図８はそのケーブル加振装置による加振例を示す図である。
【００１４】
図１に示すような超電導磁気浮上式鉄道用地上コイル１の下端部には、図２及び図３に示すように、雌側ケーブル接続部２が地上コイル１に接続されて一体化されており、また図４に示すような雄側ケーブル接続部３が雌側ケーブル接続部２に押し込まれて接続されて、ケーブル接続部４が構成されている。
このように構成された超電導磁気浮上式鉄道用地上コイルのケーブル接続部４から導出されるケーブル５に、図７に示すような加振装置６が接続される。一方、ケーブル５には高電圧印加装置７も接続される。
【００１５】
本発明によれば、超電導磁気浮上式鉄道用地上コイル１に実際には超電導磁石により与えられる力を、ケーブル５に接続される加振装置６による加振によって模擬することにより、大規模な設備となる超電導磁石を使用することなく、超電導磁気浮上式鉄道用地上コイルのケーブル接続部４の耐久性試験を模擬することができる。
上記したようにケーブル接続部４を固定し、ケーブル接続部４から導出されるケーブル５上の所定の箇所を加振装置６で加振する。加振装置６は、図７に示すように、モータ１１と偏心円盤１２からなり、モータ１１の回転運動を偏心円盤１２によりケーブル５のケーブル接続部４の上下動に変換するようにしている。ケーブル５は高電圧印加装置７にも接続されているので、ケーブル接続部４に振動を与えながら高電圧の印加が可能な構成となっている。ケーブル５には、例えば、図８に示すような振動加速度（ｍ／ｓ2 ）を加振装置６により印加する。また、ケーブル５には、実際に超電導磁気浮上式鉄道車両が走行する際地上コイルに印加される数１０ｋＶ単位（例えば、１９ｋＶ，３３ｋＶ，５０ｋＶ）の電圧と同等の高電圧を高電圧印加装置７から印加する。
【００１６】
このように構成したので、超電導磁気浮上式鉄道車両の通過時に地上コイルのケーブル接続部に加えられる動的な力を簡便な装置により模擬することができ、超電導磁石を使わずに地上コイルのケーブル接続部の耐久性評価を行うことができる。
なお、本発明は上記実施例に限定されるものではなく、本発明の趣旨に基づき種々の変形が可能であり、これらを本発明の範囲から排除するものではない。
【産業上の利用可能性】
【００１７】
本発明の超電導磁気浮上式鉄道用地上コイルのケーブル接続部振動試験装置は、簡便な装置により、超電導磁気浮上式鉄道車両の通過時に地上コイルのケーブル接続部に加えられる動的な力を模擬することができる、超電導磁気浮上式鉄道用地上コイルのケーブル接続部振動試験装置として利用可能である。
【符号の説明】
【００１８】
１    超電導磁気浮上式鉄道用地上コイル
２    雌側ケーブル接続部
３    雄側ケーブル接続部
４    ケーブル接続部
５    ケーブル
６    加振装置
７    高電圧印加装置
１１    モータ
１２    偏心円盤
【図２】
2012078314.tif 000003
【図５】
2012078314.tif 000004
【図８】
2012078314.tif 000005
【図１】
2012078314.tif 000006
【図３】
2012078314.tif 000007
【図４】
2012078314.tif 000008
【図６】
2012078314.tif 000009
【図７】
2012078314.tif 000010
【図９】
2012078314.tif 000011